【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
神経組織を画像化する方法であって、
第１病態或いは病理経過に関連する構造を検出する第１放射性薬剤を患者に投与する工程と、
第２病態或いは病理経過に関連する構造を検出する第２放射性薬剤を患者に投与する工程と、
前記第１病態或いは病理経過及び前記第２病態或いは病理経過に関連する構造が位置すると予期される領域を含む、前記患者の脳の部分を画像化する工程と、
前記第１病態或いは病理経過及び前記第２病態或いは病理経過を検出する工程と
を有する方法。
【請求項２】
請求項１記載の方法において、前記第１放射性薬剤を投与する工程及び前記第２放射性薬剤を投与する工程は、並行して実行されるものである。
【請求項３】
請求項１記載の方法において、前記第１病態および前記第２病態は、独立して、認知症、認知障害、アルツハイマー病（ＡＤ）、パーキンソン病（ＰＤ）、レビー小体型認知症（ＤＬＢ）、血管性認知症（ＶａＤ）及びそれの組み合わせからなる群から選択されるものである。
【請求項４】
請求項１記載の方法において、前記画像化する工程は、陽電子放射断層撮影（ＰＥＴ）画像化、単一光子放射コンピューター断層撮影（ＳＰＥＣＴ）画像化、並行コンピューター断層撮影画像化付きＰＥＴ（ＰＥＴ／ＣＴ）、並行核磁気共鳴画像化付きＰＥＴ（ＰＥＴ／ＭＲＩ）、並行ＣＴ画像化付きＳＰＥＣＴ（ＳＰＥＣＴ／ＣＴ）、或いはそれらの組み合わせを有するものである。
【請求項５】
請求項１記載の方法であって、この方法は、さらに、
第３放射性薬剤を投与する工程を有するものである。
【請求項６】
請求項１記載の方法において、前記第１病態或いは病理経過を検出する工程、及び前記第２病態或いは病理経過を検出する工程は、順次又は平行して実行されるものである。
【請求項７】
神経組織を画像化する方法であって、
β−アミロイド斑を標的とする放射性薬剤を有効量患者に投与する工程と、
代謝を画像化する放射性薬剤、黒質線条体ニューロンを標的とする放射性薬剤、かん流を画像化する放射性薬剤、及びその組み合わせからなる群から選択される第２放射性薬剤を有効量患者に投与する工程と、
前記患者の脳を画像する工程と
を有する方法。
【請求項８】
請求項７記載の方法において、前記画像化する工程は、前記患者の脳の脳皮質領域を画像化する工程であって、これによりβ−アミロイド斑の存在或いは欠如を検出するものである、前記画像化する工程を有するものである。
【請求項９】
請求項７記載の方法において、前記代謝を画像化する放射性薬剤は、前記患者の脳内のグルコース利用を検出するものである。
【請求項１０】
請求項７記載の方法において、前記代謝を画像化する放射性薬剤は、１８ＦＤＧを含むものである。
【請求項１１】
請求項７記載の方法において、前記黒質線条体ニューロンを標的とする放射性薬剤は、黒質線条体ニューロンのドーパミン作動性変性を検出するものである。
【請求項１２】
請求項７記載の方法において、前記黒質線条体ニューロンを標的とする放射性薬剤は、１８Ｆ−ＡＶ−１３３を含むものである。
【請求項１３】
請求項１２記載の方法において、前記有効量の１８Ｆ−ＡＶ−１３３は約０．１〜約２０ｍＣｉを含むものである。
【請求項１４】
請求項７記載の方法において、前記かん流を画像化する放射性薬剤は、前記患者の脳内血流を検出するものである。
【請求項１５】
請求項７記載の方法において、前記かん流を画像化する放射性薬剤は、Ｈ２１５Ｏ、１３ＮＨ３、およびその組み合わせからなる群から選択されるものである。
【請求項１６】
請求項７記載の方法において、前記β−アミロイド斑を標的とする放射性薬剤は、１８Ｆ−ＡＶ−４５を含むものである。
【請求項１７】
請求項１６記載の方法において、前記有効量の１８Ｆ−ＡＶ−４５は約０．１〜約２０ｍＣｉを含むものである。
【請求項１８】
請求項７記載の方法において、この方法は、認知症、認知障害、アルツハイマー病（ＡＤ）、パーキンソン病（ＰＤ）、レビー小体型認知症（ＤＬＢ）、血管性認知症（ＶａＤ）及びそれの組み合わせからなる群から選択される病態を検出するものである。
【請求項１９】
請求項７記載の方法において、前記β−アミロイド斑を標的とする放射性薬剤を投与する工程及び前記代謝を画像化する放射性薬剤を投与する工程は、並行して又は順次実行されるものである。
【請求項２０】
請求項７記載の方法において、前記β−アミロイド斑を標的とする放射性薬剤のための画像化する工程、及び前記第２放射性薬剤のための画像化する工程は、並行して又は順次実行されるものである。
【請求項２１】
請求項７記載の方法において、前記画像化する工程は、陽電子放射断層撮影（ＰＥＴ）画像化、単一光子放射コンピューター断層撮影（ＳＰＥＣＴ）画像化、並行コンピューター断層撮影画像化付きＰＥＴ（ＰＥＴ／ＣＴ）、並行核磁気共鳴画像化付きＰＥＴ（ＰＥＴ／ＭＲＩ）、並行ＣＴ画像化付きＳＰＥＣＴ（ＳＰＥＣＴ／ＣＴ）、或いはそれらの組み合わせを有するものである。
【請求項２２】
請求項７記載の方法であって、この方法は、さらに、
画像の画像強度を、前記患者の脳の小脳に正規化する工程を有するものである。
【手続補正２】
【補正対象書類名】明細書
【補正対象項目名】０００７
【補正方法】変更
【補正の内容】
【０００７】
ＰＤとＤＬＢは、黒質中のドーパミン作動性変性ニューロンの死と関連する、ドーパミン欠乏と同一病因を有する。ドーパミンは身体の筋肉及び運動の滑らかで協調的な機能を可能にする神経伝達物質である。ＰＤにおけるドーパミン作動性変性ニューロン死の原因は未知であるが、ＤＬＢでは、レビー小体蛋白質或いは「レビー小体」と呼ばれる異常な蛋白質沈着が、ドーパミン作動性変性ニューロン死に貢献することが認識されている。レビー小体は、大抵、脳幹の黒質及び青斑部に生じ、またより低度には、脳の脳皮質下と皮質の領域で生じる。脳の中でこの特定の局在化のために、レビー小体は、さらにアセチルコリンの生成に干渉し、その結果知覚、思考及び行動で混乱を引き起こす。レビー小体は、凝集したα−シヌクレイン（α−ｓｙｎｕｃｌｅｉｎ）蛋白質沈着から構成されているので、レビー小体も通常一種のＳＰ（神経伝達物質）であると考えられている。
さらなる神経変性の病因は、脳内の微小血管性、すなわち、かん流、欠損の要素を含む病理の混合でありえる。一般に「混合型認知症」と呼ばれて、この種の神経変性はしばしばアミロイド斑病理と共にかん流欠損の両者を含む。用語混合認知症には種々の異なる意味が関連付けられてきた。混合認知症の１つの定義は、ＡＤ及び甲状腺機能低下症、或いはビタミンＢ−１２欠乏のような他の病理との組み合わせを包含する。しかしながら、混合認知症は最も一般には、ＡＤ及び血管性認知症（ＶａＤ）との共存を意味する。ＡＤとＶａＤの組み合わせは、脳にとってどちらか単独より大きな影響を及ぼすかもしれないので、混合認知症は臨床的に重要である。混合認知症は、症状がＡＤ或いはＶａＤの症状或いは２つの組み合わせに一般に似ているが、診断することが慣例上困難である。
ＡＤにおけるＡβ斑の存在及びＰＤとＤＬＢにおけるドーパミン作動性ニューロン死の持つ中心的な役割のために、係る異常部位に結合し、画像化を可能にする、放射性同位体で標識したリガンドの開発することに、幅広い興味があった。いくつかの放射性同位体で標識したＡβ−凝集体に特定なリガンドが、陽電子放射断層撮影（ＰＥＴ）或いは単一光子放射コンピューター断層撮影（ＳＰＥＣＴ）を使用する、生体のアミロイド斑の画像化用に報告されている。これらのリガンドは、脳内の黒質線条体ニューロン及びＤ２／Ｄ３受容体を主な標的とする。係る放射性同位体標識Ａβ−凝集体特定のリガンドは、他にある多くのものの中で、［（９９ｍ）Ｔｃ］ＴＲＯＤＡＴ−１及び［（１２３）Ｉ］ＩＢＺＭを含む。さらに、数種の放射性薬剤が局所脳かん流のＰＥＴ或いはＳＰＥＣＴ画像化用に使用されてきた。１５Ｏ−標識水（Ｈ２１５Ｏ）及び１３Ｎ−アンモニア（１３ＮＨ３）のようなＰＥＴ放射性薬剤がかん流画像化用に使用されてきた。Ｔｃ−９９ｍＨＭＰＡＯ（ヘキサメチルプロピレンアミンオキシム）及びＴｃ−９９ｍ  Ｂｉｓｃｉｓａｔｅ（ビシセート）のようなＳＰＥＣＴ放射性薬剤も大脳のかん流試薬として使用される。
二重同位体画像化技術は、甲状腺上の腺腫の存在を検出する上皮小体研究を含む試験、並びに、かん流及び心筋組織生存率に関する心筋の画像化研究で使用された。さらに、脳では、１８Ｆ−ＦＤＧ及び９９ｍＴｃ−ＨＭＰＡＯ  ＳＰＥＣＴ同時画像化技術は、海馬、大脳基底核、及び上側頭回のような、不安及びうつ病神経構造の選択されたエリアを画像するのに利用された。黒質線条体ニューロン及びＤ２／Ｄ３受容体を画像化するのに［９９ｍＴｃ］ＴＲＯＤＡＴ−１及び［１２３Ｉ］ＩＢＺＭを用いた２重ＳＰＥＣＴを画像化技術を使用する研究もなされている。
【先行技術文献】
【特許文献】
【手続補正３】
【補正対象書類名】明細書
【補正対象項目名】０００８
【補正方法】変更
【補正の内容】
【０００８】
【特許文献１】  米国特許出願第２００７／０２８１２９９号
【特許文献２】  米国特許出願第２００８／００３８１９５号
【特許文献３】  米国特許出願第２００３／０２３６３９１号
【特許文献４】  米国特許出願第２００５／００４３５２３号
【特許文献５】  米国特許第６，６９６，０３９号
【特許文献６】  米国特許第６，９４６，１１６号
【特許文献７】  米国特許第７，２５０，５２５号
【特許文献８】  米国特許出願第２００６／０２６９４７３号
【特許文献９】  米国特許出願第２００６／０２６９４７４号
【特許文献１０】  米国特許出願第２００５／０２７１５８４号
【特許文献１１】  米国特許出願第２００７／００３１３２８号
【特許文献１２】  米国特許第３，９０４，５３０号
【特許文献１３】  米国特許出願第２００３／００１３９５０号
【特許文献１４】  米国特許第６，７７０，２５９号
【特許文献１５】  国際公開第ＷＯ２００６／０１４３８１号
【特許文献１６】  国際公開第ＷＯ２００７／０４７２０４号
【特許文献１７】  国際公開第ＷＯ２００７／０８６８００号
【特許文献１８】  国際公開第ＷＯ２００６／０５７３２３号
【特許文献１９】  欧州特許公開第ＥＰ１８１５７２号
【特許文献２０】  国際公開第ＷＯ２００５／０１６８８８号
【特許文献２１】  欧州特許公開第ＥＰ１６５５２８７号
【特許文献２２】  国際公開第ＷＯ２００６／０７８３８４号
【特許文献２３】  国際公開第ＷＯ２００６／０６６１０４号
【特許文献２４】  国際公開第ＷＯ２００７／１２６７３３号
【非特許文献】
【手続補正４】
【補正対象書類名】明細書
【補正対象項目名】０００９
【補正方法】変更
【補正の内容】
【０００９】
【非特許文献１】  ＳＯＵＺＡ，ｅｔ  ａｌ．，Ｌｏｎｇｉｔｕｄｉｎａｌ  ｎｏｎｉｎｖａｓｉｖｅ  ＰＥＴ−ｂａｓｅｄ  β  ｃｅｌｌ  ｍａｓｓ  ｅｓｔｉｍａｔｅｓ  ｉｎ  ａ  ｓｐｏｎｔａｎｅｏｕｓ  ｄｉａｂｅｔｅｓ  ｒａｔ  ｍｏｄｅｌ，Ｔｈｅ  Ｊｏｕｒｎａｌ  ｏ／Ｃｌｉｎｉｃａｌ  Ｉｎｖｅｓｔｉｇａｔｉｏｎ（Ｊｕｎｅ  ２００６），１１６（６）：  １５０６−１５１３
【非特許文献２】  ＺＨＡＮＧ，ｅｔ  ａｌ．，Ｆ−１８  Ｓｔｉｌｂｅｎｅｓ  ａｓ  ＰＥＴ  Ｉｍａｇｉｎｇ  Ａｇｅｎｔｓ  ｆｏｒ  Ｄｅｔｅｃｔｉｎｇ  β−Ａｍｙｌｏｉｄ  Ｐｌａｑｕｅｓ  ｉｎ  ｔｈｅ  Ｂｒａｉｎ，Ｊ  Ｍｅｄ．Ｃｈｅｒｎ．（Ａｕｇｕｓｔ  ２３，２００５），４８（１９）：５９８０−５９８８
【非特許文献３】  ＡＳＨＢＵＲＮ，ｅｔ  ａｌ．，Ａｍｙｌｏｉｄ  ｐｒｏｂｅｓ  ｂａｓｅｄ  ｏｎ  Ｃｏｎｇｏ  Ｒｅｄ  ｄｉｓｔｉｎｇｕｉｓｈ  ｂｅｔｗｅｅｎ  ｆｉｂｒｉｌｓ  ｃｏｍｐｒｉｓｉｎｇ  ｄｉｆｆｅｒｅｎｔ  ｐｅｐｔｉｄｅｓ，Ｃｈｅｍｉｓｔｒｙ  &  Ｂｉｏｌｏｇｙ（Ｍａｙ  １９９６），３（５）：３５１−３５８
【非特許文献４】  ＨＡＮ，ｅｔ  ａｌ．，Ｔｅｃｈｎｅｔｉｕｍ  Ｃｏｍｐｌｅｘｅｓ  ｆｏｒ  ｔｈｅ  Ｑｕａｎｔｉｔａｔｉｏｎ  ｏｆ  Ｂｒａｉｎ  Ａｍｙｌｏｉｄ，Ｊ  Ａｍ．Ｃｈｅｒｎ．Ｓｏｃ．（Ｍａｙ  ８，１９９６），１１８（１８）：４５０６−４５０７
【非特許文献５】  ＫＬＵＮＫ，ｅｔ  ａｌ．，Ｑｕａｎｔｉｔａｔｉｖｅ  ｉｎ  ｖｉｔｒｏ  ＮＭＲ  ａｎａｌｙｓｉｓ  ｏｆ  Ａｌｚｈｅｉｍｅｒ’ｓ，ｎｏｎ−Ａｌｚｈｅｉｍｅｒ’ｓ  ｄｅｍｅｎｔｅｄ  ａｎｄ  Ｃｏｎｔｒｏｌ  Ｂｒａｉｎ，ＢｉｏＩ．Ｐｓｙｃｈｉａｔｒｙ（Ｍａｙ  １，１９９４），３５（９）：６２７
【非特許文献６】  ＫＬＵＮＫ，ｅｔ  ａｌ．，Ｃｈｒｙｓａｍｉｎｅ−Ｇ  Ｂｉｎｄｉｎｇ  ｔｏ  Ａｌｚｈｅｉｍｅｒ  ａｎｄ  Ｃｏｎｔｒｏｌ  Ｂｒａｉｎ：  Ａｕｔｏｐｓｙ  Ｓｔｕｄｙ  ｏｆ  Ｎｅｗ  Ａｍｙｌｏｉｄ  Ｐｒｏｂｅ，Ｎｅｕｒｏｂｉｏｌ．Ａｇｉｎｇ（１９９５），１６（４）：５４１−５４８
【非特許文献７】  ＫＬＵＮＫ，ｅｔ  ａｌ．，Ｓｔａｉｎｉｎｇ  ｏｆ  ＡＤ  ａｎｄ  Ｔｇ２５７６  Ｍｏｕｓｅ  Ｂｒａｉｎ  ｗｉｔｈ  Ｘ−３４，ａ  Ｈｉｇｈｌｙ  Ｆｌｕｏｒｅｓｃｅｎｔ  Ｄｅｒｉｖａｔｉｖｅ  ｏｆ  Ｃｈｒｙｓａｍｉｎｅ  Ｇ  ａｎｄ  ａ  Ｐｏｔｅｎｔｉａｌ  ｉｎ  Ｖｉｖｏ  Ｐｒｏｂｅ  ｆｏｒ  β−ｓｈｅｅｔ  Ｆｉｂｒｉｌｓ，Ｓｏｃ．Ｎｅｕｒｏｓｃｉ．Ａｂｓｔｒ．（１９９７），２３：１６３８，Ａｂｓｔｒａｃｔ  Ｎｏ．６３６．１２
【非特許文献８】  ＭＡ  ＴＨＩＳ，ｅｔ  ａｌ．，Ｓｙｎｔｈｅｓｉｓ  ｏｆ  ａ  Ｌｉｐｏｐｈｉｌｉｃ，Ｒａｄｉｏｉｏｄｉｎａｔｅｄ  Ｌｉｇａｎｄ  ｗｉｔｈ  Ｈｉｇｈ  Ａｆｆｉｎｉｔｙ  ｔｏ  Ａｍｙｌｏｉｄ  Ｐｒｏｔｅｉｎ  ｉｎ  Ａｌｚｈｅｉｍｅｒ’ｓ  Ｄｉｓｅａｓｅ  Ｂｒａｉｎ  Ｔｉｓｓｕｅ，Ｊ  Ｌａｂｅｌｌｅｄ  Ｃｐｄ．Ｒａｄｉｏｐｈａｒｍ（１９９７）４０：９４−９５
【非特許文献９】  ＬＯＲＥＮＺＯ，ｅｔ  ａｌ．，ｐ−Ａｍｙｌｏｉｄ  ｎｅｕｒｏｔｏｘｉｃｉｔｙ  ｒｅｑｕｉｒｅｓ  ｆｉｂｒｉｌ  ｆｏｒｍａｔｉｏｎ  ａｎｄ  ｉｓ  ｉｎｈｉｂｉｔｅｄ  ｂｙ  Ｃｏｎｇｏｒｅｄ，Ｆｒｏｃ．Ｎａｔｌ．Ａｃａｄ．Ｓｃｉ．ＵＳ．Ａ．（Ｄｅｃｅｍｂｅｒ  １９９４），９１  ：１２２４３−１２２４７
【非特許文献１０】  ＺＨＥＮ，ｅｔ  ａｌ．，Ｓｙｎｔｈｅｓｉｓ  ａｎｄ  Ａｍｙｌｏｉｄ  Ｂｉｎｄｉｎｇ  Ｐｒｏｐｅｒｔｉｅｓ  ｏｆ  Ｒｈｅｎｉｕｍ  Ｃｏｍｐｌｅｘｅｓ：  Ｐｒｅｌｉｍｉｎａｒｙ  Ｐｒｏｇｒｅｓｓ  Ｔｏｗａｒｄ  ａ  Ｒｅａｇｅｎｔ  ｆｏｒ  ＳＰＥＣＴ  Ｉｍａｇｉｎｇ  ｏｆ  Ａｌｚｈｅｉｍｅｒ’ｓ  Ｄｉｓｅａｓｅ  Ｂｒａｉｎ，Ｊ  Ｍｅｄ．Ｃｈｅｒｎ．（Ｊｕｌｙ  ２，１９９９），４２（１５）：２８０５−２８１５
【非特許文献１１】  ＺＨＡＮＧ，ｅｔ  ａｌ．，１８Ｆ−Ｉａｂｅｌｅｄ  Ｓｔｙｒｙｌｐｙｒｉｄｉｎｅｓ  ａｓ  ＰＥＴ  ａｇｅｎｔｓ  ｆｏｒ  Ａｍｙｌｏｉｄ  Ｐｌａｑｕｅ  Ｉｍａｇｉｎｇ，Ｎｕｃｌｅａｒ  Ｍｅｄｉｃｉｎｅ  ａｎｄ  Ｂｉｏｌｏｇｙ（２００７），３４：８９−９７
【非特許文献１２】  ＨＥＮＲＩＫＳＥＮ，ｅｔ  ａｌ．，Ｄｅｖｅｌｏｐｍｅｎｔ  ａｎｄ  Ｅｖａｌｕａｔｉｏｎ  ｏｆ  Ｃｏｍｐｏｕｎｄｓ  ｆｏｒ  Ｉｍａｇｉｎｇ  ｏｆ  β−ａｍｙｌｏｉｄ  Ｐｌａｑｕｅ  ｂｙ  Ｍｅａｎｓ  ｏｆ  Ｐｏｓｉｔｒｏｎ  Ｅｍｉｓｓｉｏｎ  Ｔｏｍｏｇｒａｐｈｙ，Ｅｕｒ  Ｊ  Ｎｕｃｌ  Ｍｅｄ  Ｍｏｌ  Ｉｍａｇｉｎｇ（Ｊａｎｕａｒｙ  ２６，２００８），３５（１）：Ｓ７５−Ｓ８１
【非特許文献１３】  ＬＥＭＡＩＲＥ  ｅｔ  ａｌ．，Ｓｏｌｉｄ  Ｐｈａｓｅ  Ｅｘｔｒａｃｔｉｏｎ  −  Ａｎ  Ａｌｔｅｒｎａｔｉｖｅ  ｔｏ  ｔｈｅ  Ｕｓｅ  ｏｆ  Ｒｏｔａｒｙ  Ｅｖａｐｏｒａｔｏｒｓ  ｆｏｒ  Ｓｏｌｖｅｎｔ  Ｒｅｍｏｖａｌ  ｉｎ  ｔｈｅ  Ｒａｐｉｄ  Ｆｏｒｍｕｌａｔｉｏｎ  ｏｆ  ＰＥＴ  Ｒａｄｉｏｐｈａｒｍａｃｅｕｔｉｃａｌｓ，Ｊ  Ｌａｂｅｌｌｅｄ  Ｃｐｄ．Ｒａｄｉｏｐｈａｒｍ．（１９９９），４２  ：６３−７５
【非特許文献１４】  ＴＯＦＥ，ｅｔ  ａｌ．，Ｉｎ  Ｖｉｔｒｏ  Ｓｔａｂｉｌｉｚａｔｉｏｎ  ｏｆ  ａ  Ｌｏｗ−Ｔｉｎ  Ｂｏｎｅ−Ｉｍａｇｉｎｇ  Ａｇｅｎｔ（９９ｍＴＣ−Ｓｎ−ＨＥＤＰ）ｂｙ  Ａｓｃｏｒｂｉｃ  Ａｃｉｄ，Ｊ  Ｈｕｃｌ  Ｍｅｄ，（１９７６），１７（９）：８２０−８２５
【非特許文献１５】  ＫＮＡＰＰ，ｅｔ  ａｌ．，Ａｖａｉｌａｂｉｌｉｔｙ  ｏｆ  Ｒｈｅｎｉｕｍ−１８８  ｆｒｏｍ  ｔｈｅ  Ａｌｕｍｉｎａ−Ｂａｓｅｄ  Ｗ  −１８８１  Ｒｈｅｎｉｕｍ−１８８  Ｇｅｎｅｒａｔｏｒ  ｆｏｒ  Ｐｒｅｐａｒａｔｉｏｎ  ｏｆ  Ｒｈｅｎｉｕｍ−１８８−Ｌａｂｅｌｌｅｄ  Ｒａｄｉｏｐｈａｒｍａｃｅｕｔｉｃａｌｓ  ｆｏｒ  Ｃａｎｃｅｒ  Ｔｒｅａｔｍｅｎｔ，Ａｎｔｉｃａｎｃｅｒ  Ｒｅｓｅａｒｃｈ（１９９７），１７：  １７８３−１７９６
【非特許文献１６】  ＬＩＵ，ｅｔ  ａｌ．，Ａｓｃｏｒｂｉｃ  Ａｃｉｄ：  Ｕｓｅｆｕｌ  ａｓ  ａ  Ｂｕｆｆｅｒ  Ａｇｅｎｔ  ａｎｄ  Ｒａｄｉｏｌｙｔｉｃ  Ｓｔａｂｉｌｉｚｅｒ  ｆｏｒ  Ｍｅｔａｌｌｏｒａｄｉｏｐｈａｒｍａｃｅｕｔｉｃａｌｓ，ＢｉｏｃｏｎｊｕＲａｔｅ  Ｃｈｅｍｉｓｔｒｙ（Ａｕｇｕｓｔ  １９，２００３），１４（５）：１０５２−１０５６
【非特許文献１７】  ＦＩＲＮＡＵ，ｅｔ  ａｌ．，Ａｒｏｍａｔｉｃ  Ｒａｄｉｏｆｌｕｏｒｉｎａｔｉｏｎ  ｗｉｔｈ  ［１８Ｆ］Ｆｌｕｒｉｎｅ  Ｇａｓ：６−［１８Ｆ］Ｆｌｕｏｒｏ−Ｌ−Ｄｏｐａ，Ｊ  Ｎｕｃｌ  Ｍｅｄ（１９８４），２５（１１）：１２２８−１２３３
【非特許文献１８】  ＣＨＯＩ，ｅｔ  ａｌ．，Ｐｒｅｃｌｉｎｉｃａｌ  Ｐｒｏｐｅｒｔｉｅｓ  ｏｆ  １８Ｆ−ＡＶ−４５：Ａ  ＰＥＴ  Ａｇｅｎｔ  ｆｏｒ  Ａβ  Ｐｌａｑｕｅｓ  ｉｎ  ｔｈｅ  Ｂｒａｉｎ，Ｊ  Ｎｕｃｌ  Ｍｅｄ，（Ｏｃｔｏｂｅｒ  １６，２００９）  ５０（１１）：１８８７−１８９４
【非特許文献１９】  ＧＬＯＷＩＥＮＫＥ，ｅｔ  ａｌ．，Ｓｔｒｕｃｔｕｒｅ−ａｃｔｉｖｉｔｙ  ｃｏｎｓｉｄｅｒａｔｉｏｎｓ  ａｎｄ  ｉｎ  ｖｉｔｒｏ  ａｐｐｒｏａｃｈｅｓ  ｔｏ  ａｓｓｅｓｓ  ｔｈｅ  ｇｅｎｏｔｏｘｉｃｉｔｙ  ｏｆ  １９  ｍｅｔｈａｎｅ−，ｂｅｎｚｅｎｅ−  ａｎｄ  ｔｏｌｕｅｎｅｓｕｌｆｏｎｉｃ  ａｃｉｄ  ｅｓｔｅｒｓ，Ｍｕｔａｔ  Ｒｅｓ．，（Ｄｅｃｅｍｂｅｒ  ２１，２００４），５８１（１−２）：２３−３４
【非特許文献２０】  ＳＣＨＹＬＥＲ，ＰＥＴ  Ｔｒａｃｅｒｓ  ａｎｄ  Ｒａｄｉｏｃｈｅｍｉｓｔｒｙ，Ａｎｎ  Ａｃａｄ  Ｍｅｄ  Ｓｉｎｇａｐｏｒｅ，（Ｍａｒｃｈ  ２００４）；  ３３（２）：１４６−１５４
【非特許文献２１】  ＢＡＴＥＳ  ｅｔ  ａｌ．，Ｃｌｅａｒａｎｃｅ  Ｍｅｃｈａｎｉｓｍｓ  ｏｆ  Ａｌｚｈｅｉｍｅｒ’ｓ  Ａｍｙｌｏｉｄ−β  Ｐｅｐｔｉｄｅ：  Ｉｍｐｌｉｃａｔｉｏｎｓ  ｆｏｒ  Ｔｈｅｒａｐｅｕｔｉｃ  Ｄｅｓｉｇｎ  ａｎｄ  Ｄｉａｇｎｏｓｔｉｃ  Ｔｅｓｔｓ，  Ｍｏｌｅｃｕｌａｒ  Ｐｓｙｃｈｉａｔｒｙ（Ｓｅｐｔｅｍｂｅｒ  １６，２００８），１−１８
【非特許文献２２】  ＢＡＵＥＲ  ｅｔ  ａｌ．，Ａ  Ｐｏｓｉｔｒｏｎ  Ｅｍｉｓｓｉｏｎ  Ｔｏｍｏｇｒａｐｈｙ  Ｍｉｃｒｏｄｏｓｉｎｇ  Ｓｔｕｄｙ  Ｗｉｔｈ  ａ  Ｐｏｔｅｎｔｉａｌ  Ａｎｔｉａｍｙｌｏｉｄ  Ｄｒｕｇ  ｉｎ  Ｈｅａｌｔｈｙ  Ｖｏｌｕｎｔｅｅｒｓ  ａｎｄ  Ｐａｔｉｅｎｔｓ  Ｗｉｔｈ  Ａｌｚｈｅｉｍｅｒ’ｓ  Ｄｉｓｅａｓｅ，Ｃｌｉｎ．Ｐｈａｒｍａｃｏｌ．Ｔｈｅｒ．（Ｓｅｐｔｅｍｂｅｒ  ２００６），８０（３）：２１６−２２７
【非特許文献２３】  ＺＨＡＮＧ  ｅｔ  ａｌ．，１８Ｆ−Ｌａｂｅｌｅｄ  Ｓｔｙｒｙｌｐｙｒｉｄｉｎｅｓ  ａｓ  ＰＥＴ  Ａｇｅｎｔｓ  ｆｏｒ  Ａｍｙｌｏｉｄ  Ｐｌａｑｕｅ  Ｉｍａｇｉｎｇ，Ｎｕｃｌｅａｒ  Ｍｅｄｉｃｉｎｅ  ａｎｄ  Ｂｉｏｌｏｇｙ（２００７），３４：８９−９７
【非特許文献２４】  ＭＡ  ＴＨＩＳ  ｅｔ  ａｌ．，Ｓｙｎｔｈｅｓｉｓ  ａｎｄ  Ｅｖａｌｕａｔｉｏｎ  ｏｆ  １１Ｃ−Ｌａｂｅｌｅｄ  ６−Ｓｕｂｓｔｉｔｕｔｅｄ  ２−Ａｒｙｌｂｅｎｚｏｔｈｉａｚｏｌｅｓ  ａｓ  Ａｍｙｌｏｉｄ  Ｉｍａｇｉｎｇ  Ａｇｅｎｔｓ，Ｊ  Ｍｅｄ．Ｃｈｅｒｎ．（Ｍａｙ  ２４，２００３），４６（１３）：２７４０−２７５４
【非特許文献２５】  ＳＭＡＬＬ  ｅｔ  ａｌ．，ＰＥＴ  ｏｆ  Ｂｒａｉｎ  Ａｍｙｌｏｉｄ  ａｎｄ  Ｔａｕ  ｉｎ  Ｍｉｌｄ  Ｃｏｇｎｉｔｉｖｅ  Ｉｍｐａｉｒｍｅｎｔ，Ｈｅｗ  Ｅｎｇｌ．Ｊ  Ｍｅｄ．（Ｄｅｃｅｍｂｅｒ  ２１，２００６），３５５（２５）：２６５２−２６６３
【非特許文献２６】  ＺＨＡＮＧ  ｅｔ  ａｌ．，Ｆ−１８  Ｐｏｌｙｅｔｈｙｌｅｎｅｇｌｙｃｏｌ  Ｓｔｉｌｂｅｎｅｓ  ａｓ  ＰＥＴ  Ｉｍａｇｉｎｇ  Ａｇｅｎｔｓ  Ｔａｒｇｅｔｉｎｇ  Ａβ  Ａｇｇｒｅｇａｔｅｓ  ｉｎ  ｔｈｅ  Ｂｒａｉｎ，Ｎｕｃｌ．Ｍｅｄ．Ｂｉｏｉ．（Ｊｕｎｅ  ２，２００５），３２：７９９−８０９
【非特許文献２７】  ＯＮＯ  ｅｔ  ａｌ．，Ｂｅｎｚｏｆｕｒａｎ  Ｄｅｒｉｖａｔｉｖｅｓ  ａｓ  Ａβ−Ａｇｇｒｅｇａｔｅ−Ｓｐｅｃｉｆｉｃ  Ｉｍａｇｉｎｇ  Ａｇｅｎｔｓ  ｆｏｒ  Ａｌｚｈｅｉｍｅｒ’ｓ  Ｄｉｓｅａｓｅ，Ｎｕｃｌ．Ｍｅｄ．Ｂｉｏｉ．（Ａｕｇｕｓｔ  ２００２），２９（６）：６３３−６４２
【非特許文献２８】  ＯＮＯ  ｅｔ  ａｌ．，Ｓｙｎｔｈｅｓｉｓ  ａｎｄ  Ｂｉｏｌｏｇｉｃａｌ  Ｅｖａｌｕａｔｉｏｎ  ｏｆ（Ｅ）−３−Ｓｔｙｒｙｌｐｙｒｉｄｉｎｅ  Ｄｅｒｉｖａｔｉｖｅｓ  ａｓ  Ａｍｙｌｏｉｄ  Ｉｍａｇｉｎｇ  Ａｇｅｎｔｓ  ｆｏｒ  Ａｌｚｈｅｉｍｅｒ’ｓ  Ｄｉｓｅａｓｅ，Ｈｕｃｌ．Ｍｅｄ．ＢｉｏＩ．（Ｍａｙ  ２００５），３２（４）：３２９−３３５
【非特許文献２９】  ＱＵ  ｅｔ  ａｌ．，Ｒａｄｉｏｉｏｄｉｎａｔｅｄ  Ａｚａ−Ｄｉｐｈｅｎｙｌａｃｅｔｙｌｅｎｅｓ  ａｓ  Ｐｏｔｅｎｔｉａｌ  ＳＰＥＣＴ  Ｉｍａｇｉｎｇ  Ａｇｅｎｔｓ  ｆｏｒ  β−Ａｍｙｌｏｉｄ  Ｐｌａｑｕｅ  Ｄｅｔｅｃｔｉｏｎ，Ｂｉｏｏｒｇ．Ｍｅｄ．Ｃｈｅｒｎ．Ｌｅｔｔ．（Ａｐｒｉｌ  ２５，２００７），１７：３５８１−３５８４
【非特許文献３０】  ＫＥＭＰＰＡＩＮＥＮ  ｅｔ  ａｌ．，ＰＥＴ  Ａｍｙｌｏｉｄ  Ｌｉｇａｎｄ  ［１１Ｃ］ＰＩＢ  Ｕｐｔａｋｅ  ｉｓ  Ｉｎｃｒｅａｓｅｄ  ｉｎ  Ｍｉｌｄ  Ｃｏｇｎｉｔｉｖｅ  Ｉｍｐａｉｎｎｅｎｔ，Ｎｅｕｒｏｌｏｇｙ（Ｍａｙ  ８，２００７），６８：１６０３−１６０６
【非特許文献３１】  ＰＩＫＥ  ｅｔ  ａｌ．，β-Ａｍｙｌｏｉｄ  Ｉｍａｇｉｎｇ  ａｎｄ  Ｍｅｍｏｒｙ  ｉｎ  Ｎｏｎ−Ｄｅｍｅｎｔｅｄ  Ｉｎｄｉｖｉｄｕａｌｓ：Ｅｖｉｄｅｎｃｅ  ｆｏｒ  Ｐｒｅｃｌｉｎｉｃａｌ  Ａｌｚｈｅｉｍｅｒ’ｓ  Ｄｉｓｅａｓｅ，Ｂｒａｉｎ（Ｏｃｔｏｂｅｒ  １０，２００７），１３０（１１）：２８３７−２８４４
【非特許文献３２】  ＫＬＵＮＫ  ｅｔ  ａｌ．，Ｉｍａｇｉｎｇ  Ｂｒａｉｎ  Ａｍｙｌｏｉｄ  ｉｎ  Ａｌｚｈｅｉｍｅｒ’ｓ  Ｄｉｓｅａｓｅ  ｗｉｔｈ  Ｐｉｔｔｓｂｕｒｇｈ  Ｃｏｍｐｏｕｎｄ−Ｂ，Ａｎｎ．Ｎｅｕｒｏｌ．（Ｊａｎｕａｒｙ  ２１，２００４），５５（３）：３０６−３１９
【非特許文献３３】  ＶＥＲＨＯＥＦＦ  ｅｔ  ａｌ．，Ｉｎ−Ｖｉｖｏ  Ｉｍａｇｉｎｇ  ｏｆ  Ａｌｚｈｅｉｍｅｒ  Ｄｉｓｅａｓｅ  β−Ａｍｙｌｏｉｄ  ｗｉｔｈ  ［１１Ｃ］ＳＢ−１３  ＰＥＴ，Ａｍ．Ｊ．Ｇｅｒｉａｔｒ.Ｐｓｙｃｈｉａｔｒｙ（Ｎｏｖｅｍｂｅｒ−Ｄｅｃｅｍｂｅｒ  ２００４)，１２（６）：５８４−５９５．
【非特許文献３４】  ＮＥＷＢＥＲＧ  ｅｔ  ａＩ．，Ｓａｆｅｔｙ，Ｂｉｏｄｉｓｔｒｉｂｕｔｉｏｎ，ａｎｄ  Ｄｏｓｉｍｅｔｒｙ  ｏｆ  １２３Ｉ−ＩＭＰＹ：Ａ  Ｎｏｖｅｌ  Ａｍｙｌｏｉｄ  Ｐｌａｑｕｅ−Ｉｍａｇｉｎｇ  Ａｇｅｎｔ  ｆｏｒ  ｔｈｅ  Ｄｉａｇｎｏｓｉｓ  ｆｏｒ  Ａｌｚｈｅｉｍｅｒ’ｓ  Ｄｉｓｅａｓｅ，Ｊ．Ｎｕｃｌ．Ｍｅｄ．（Ｍａｙ  ２００６），４７（５）：７４８−７５４
【非特許文献３５】  ＫＵＮＧ  ｅｔ  ａｌ．，Ｒａｄｉｏｐｈａｒｍａｃｅｕｔｉｃａｌｓ  ｆｏｒ  Ｓｉｎｇｌｅ−Ｐｈｏｔｏｎ  Ｅｍｉｓｓｉｏｎ  Ｃｏｍｐｕｔｅｄ  Ｔｏｍｏｇｒａｐｈｙ  Ｂｒａｉｎ  Ｉｍａｇｉｎｇ，Ｓｅｍｉｎ．Ｎｕｃｌ．Ｍｅｄ．（Ｊａｎｕａｒｙ  ２００３），３３（１）：２−１３
【非特許文献３６】  ＫＵＮＧ  ｅｔ  ａｌ．，Ｃｈａｒａｃｔｅｒｉｚａｔｉｏｎ  ｏｆ  Ｏｐｔｉｃａｌｌｙ  Ｒｅｓｏｌｖｅｄ  ９−Ｆｌｕｏｒｏｐｒｏｐｙｌ−Ｄｉｈｙｄｒｏｔｅｔｒａｂｅｎａｚｉｎｅ  ａｓ  ａ  Ｐｏｔｅｎｔｉａｌ  ＰＥＴ  Ｉｍａｇｉｎｇ  Ａｇｅｎｔ  Ｔａｒｇｅｔｉｎｇ  Ｖｅｓｉｃｕｌａｒ  Ｍｏｎｏａｍｉｎｅ  Ｔｒａｎｓｐｏｒｔｅｒｓ，Ｎｕｃｌ．Ｍｅｄ．Ｂｉｏｌ．（２００７），３４：２３９−２４６
【非特許文献３７】  ＫＩＬＢＯＵＲＮ  ｅｔ  ａＩ．，Ｐｈａｒｍａｃｏｋｉｎｅｔｉｃｓ  ｏｆ［１８Ｆ］Ｆｌｕｏｒｏａｌｋｙｌ  Ｄｅｒｉｖａｔｉｖｅｓ  ｏｆ  Ｄｉｈｙｄｒｏｔｅｔｒａｂｅｎａｚｉｎｅ  ｉｎ  Ｒａｔ  ａｎｄ  Ｍｏｎｋｅｙ  Ｂｒａｉｎ，Ｎｕｃｌ．Ｍｅｄ．Ｂｉｏｌ．（２００７），３４（３）：２３３−２３７
【非特許文献３８】  ＳＡＮＤＬＥＲ  ｅｔ  ａｌ．，Ｅｖａｌｕａｔｉｏｎ  ｏｆ  Ｍｙｏｃａｒｄｉａｌ  Ｉｓｃｈｅｍｉａ  Ｕｓｉｎｇ  ａ  Ｒｅｓｔ  Ｍｅｔａｂｏｌｉｓｍ／Ｓｔｒｅｓｓ  Ｐｅｒｆｕｓｉｏｎ  Ｐｒｏｔｏｃｏｌ  ｗｉｔｈ  Ｆｌｕｏｒｉｎｅ−１８  Ｄｅｏｘｙｇｌｕｃｏｓｅ／Ｔｅｃｈｎｅｔｉｕｍ−９９ｍ  ＭＩＢＩ  ａｎｄ  Ｄｕａｌ−Ｉｓｏｔｏｐｅ  Ｓｉｍｕｌｔａｎｅｏｕｓ−Ａｃｑｕｉｓｉｔｉｏｎ  Ｓｉｎｇｌｅ−Ｐｈｏｔｏｎ  Ｅｍｉｓｓｉｏｎ  Ｃｏｍｐｕｔｅｄ  Ｔｏｍｏｇｒａｐｈｙ，Ｊｏｕｒｎａｌ  ｏｆ  ｔｈｅ  Ａｍｅｒｉｃａｎ  Ｃｏｌｌｅｇｅ  Ｃａｒｄｉｏｌｏｇｙ（Ｏｃｔｏｂｅｒ  １９９５），２６（４）：８７０−８７８
【非特許文献３９】  ＲＯＣＫＷＯＯＤ，Ｍｉｘｅｄ  Ｄｉｍｅｎｔｉａ：Ａｌｚｈｅｉｍｅｒ’ｓ  ａｎｄ  Ｃｅｒｅｂｒｏｖａｓｃｕｌａｒ  Ｄｉｓｅａｓｅ，Ｉｎｔｅｒｎａｔｉｏｎａｌ  Ｐｓｙｃｈｏｇｅｒｉａｔｒｉｃｓ（２００３），１５（Ｓｕｐｐｌ．１）：３９−４６
【非特許文献４０】  ＬＡＮＧＡ  ｅｔ  ａｌ．，Ｍｉｘｅｄ  Ｄｉｍｅｎｔｉａ：Ｅｍｅｒｇｉｎｇ  Ｃｏｎｃｅｐｔｓ  ａｎｄ  Ｔｈｅｒａｐｅｕｔｉｃ  Ｉｍｐｌｉｃａｔｉｏｎｓ，ＪＡＭＡ（Ｄｅｃｅｍｂｅｒ  １５，２００４），２９２（２３）：２９０１−２９０８
【非特許文献４１】  ＪＥＬＬＩＮＧＥＲ，Ｍｏｒｐｈｏｌｏｇｉｃａｌ  Ｓｕｂｓｔｒａｔｅｓ  ｏｆ  Ｐａｒｋｉｎｓｏｎｉｓｍ  Ｗｉｔｈ  ａｎｄ  Ｗｉｔｈｏｕｔ  Ｄｅｍｅｎｔｉａ：Ａ  Ｒｅｔｒｏｓｐｅｃｔｉｖｅ  Ｃｌｉｎｉｃｏ−Ｐａｔｈｏｌｏｇｉｃａｌ  Ｓｔｕｄｙ，Ｊ．Ｎｅｕｒａｌ．Ｔｒａｎｓｍ．（２００７），（Ｓｕｐｐｌ．７２）：９１−１０４
【非特許文献４２】  ｗｗｗ．ａｌｚ．ｏｒｇ／ａｌｚｈｅｉｍｅｒｓ＿ｄｉｓｅａｓｅ＿ｍｉｘｅｄ＿ｄｅｍｅｎｔｉａ．ａｓｐ  Ｍｉｘｅｄ  Ｄｅｍｅｎｔｉａ，Ｊｕｌｙ  ３０，２００９，Ｐｒｉｎｔｅｄ  Ｓｅｐｔｅｍｂｅｒ  １７，２００９
【非特許文献４３】  ＩＴＯ  ｅｔ  ａｌ．，ＰＥＴ  ａｎｄ  Ｐｌａｎａｒ  Ｉｍａｇｉｎｇ  ｏｆ  Ｔｕｍｏｒ  Ｈｙｐｏｘｉａ  Ｗｉｔｈ  Ｌａｂｅｌｅｄ  Ｍｅｔｒｏｎｉｄａｚｏｌｅ，Ａｃａｄ．Ｒａｄｉｏｌ．（Ｍａｙ  ２００６），１３（５）：５９８−６０９
【非特許文献４４】  ＢＩＳＤＡＳ  ｅｔ  ａｌ．，Ｄｙｎａｍｉｃ  Ｃｏｎｔｒａｓｔ−Ｅｎｈａｎｃｅｄ  ＣＴ  ｏｆ  Ｈｅａｄ  ａｎｄ  Ｎｅｃｋ  Ｔｕｍｏｒｓ：Ｃｏｍｐａｒｉｓｏｎ  ｏｆ  Ｆｉｒｓｔ−Ｐａｓｓ  ａｎｄ  Ｐｅｒｍｅａｂｉｌｉｔｙ  Ｐｅｒｆｕｓｉｏｎ  Ｍｅａｓｕｒｅｍｅｎｔｓ  Ｕｓｉｎｇ  Ｔｗｏ  Ｄｉｆｆｅｒｅｎｃｅ  Ｃｏｍｍｅｒｃｉａｌｌｙ  Ａｖａｉｌａｂｌｅ  Ｔｒａｃｅｒ  Ｋｉｎｅｔｉｃｓ  Ｍｏｄｅｌｓ，Ａｃａｄ．Ｒａｄｉｏｌ．（Ｄｅｃｅｍｂｅｒ  ２００８），１５（１２）：１５８０−１５８９
【非特許文献４５】  ＭＡＴＳＵＤＡ，Ｒｏｌｅ  ｏｆ  Ｎｅｕｒｏｉｍａｇｉｎｇ  ｉｎ  Ａｌｚｈｅｉｍｅｒ’ｓ  Ｄｉｓｅａｓｅ，Ｗｉｔｈ  Ｅｍｐｈａｓｉｓ  ｏｎ  Ｂｒａｉｎ  Ｐｅｒｆｕｓｉｏｎ  ＳＰＥＣＴ，Ｊ．Ｎｕｃｌ．Ｍｅｄ．（Ａｕｇｕｓｔ  ２００７），４８（８）：１２８９−１３００
【非特許文献４６】  ＹＡＮＧ  ｅｔ  ａｌ．，Ｇｒｅａｔｅｒ  Ａｖａｉｌａｂｉｌｉｔｙ  ｏｆ  Ｄｏｐａｍｉｎｅ  Ｔｒａｎｓｐｏｒｔｅｒｓ  ｉｎ  Ｐａｔｉｅｎｔｓ  Ｗｉｔｈ  Ｍａｊｏｒ  Ｄｅｐｒｅｓｓｉｏｎ−Ａ  Ｄｕａｌ−Ｉｓｏｔｏｐｅ  ＳＰＥＣＴ  Ｓｔｕｄｙ，Ｐｓｙｃｈｉａｔｒｙ  Ｒｅｓｅａｒｃｈ：Ｎｅｕｒｏｉｍａｇｉｎｇ（Ａｐｒｉｌ  １５，２００８），１６２（３）：２３０−２３５
【非特許文献４７】  ＤＪＡＬＤＥＴＴＩ  ｅｔ  ａｌ．，［１２３Ｉ］−ＦＰ−ＣＩＴ  ＳＰＥＣＴ  ａｎｄ  Ｏｌｆａｃｔｉｏｎ  Ｔｅｓｔ  ｉｎ  Ｐａｔｉｅｎｔｓ  Ｗｉｔｈ  Ｃｏｍｂｉｎｅｄ  Ｐｏｓｔｕｒａｌ  ａｎｄ  Ｒｅｓｔ  Ｔｒｅｍｏｒ，Ｊ．Ｎｅｕｒａｌ．Ｔｒａｎｓｍ．（Ｆｅｂｒｕａｒｙ  ４，２００８），１１５（３）：４６９−４７２
【非特許文献４８】  ＳＴＯＦＦＥＲＳ  ｅｔ  ａｌ．，Ｅａｒｌｙ−Ｓｔａｇｅ  ［１２３Ｉ］β−ＣＩＴ  ＳＰＥＣＴ  ａｎｄ  Ｌｏｎｇ−Ｔｅｒｍ  Ｃｌｉｎｉｃａｌ  Ｆｏｌｌｏｗ−Ｕｐ  ｉｎ  Ｐａｔｉｅｎｔｓ  Ｗｉｔｈ  ａｎ  Ｉｎｉｔｉａｌ  Ｄｉａｇｎｏｓｉｓ  ｏｆ  Ｐａｒｋｉｎｓｏｎ’ｓ  Ｄｉｓｅａｓｅ，Ｅｕｒ．Ｊ．Ｎｕｃｌ．Ｍｅｄ．Ｍｏｌ．Ｉｍａｇｉｎｇ（Ｊａｎｕａｒｙ  ２９，２００５），３２（６）：６８９−６９５
【非特許文献４９】  ＨＡＲＲＩＳ  ｅｔ  ａｌ．，ＶＭＡＴ２  Ｇｅｎｅ  Ｅｘｐｒｅｓｓｉｏｎ  ａｎｄ  Ｆｕｎｃｔｉｏｎ  ａｓ  ｉｔ  Ａｐｐｌｉｅｓ  ｔｏ  Ｉｍａｇｉｎｇ  β−Ｃｅｌｌ  Ｍａｓｓ，Ｊ．Ｍｏｌ．Ｍｅｄ．（Ｊｕｌｙ  ３１，２００７），８６（１）：５−１６
【発明の概要】
【課題を解決するための手段】